(57)【要約】【課題】合紙レス平版刷版の束から平版刷版を一枚づつ分離して搬出する際に、記録層側の部分に傷がつくことを防止する。【解決手段】合紙レス平版刷版１０の束における最上位の平版刷版１０を、捌き操作手段１６４で捌き位置まで引き上げたときに、挿入調整操作装置１６７が、薄板状の保護部材１６６を取り付けた操作軸部材１６８を回動制御することにより保護部材１６６を最上位の平版刷版１０とその下の平版刷版１０との間に挿入した挿入状態とし、捌き操作手段１６４で最上位の平版刷版１０を落下させる捌き解除動作をした際に保護部材１６６が最上位の平版刷版１０の下の平版刷版１０上に移動し、最上位の平版刷版１０を搬出後に保護部材１６６を待機位置に復帰させ、搬出用ローラ１４６を最上位の平版刷版１０における保護部材１６６に対応した範囲に転接させて、最上位の平版刷版１０を保護部材１６６の上を摺動させながら搬出する。【選択図】図４
2007204164.tif 000002
【特許請求の範囲】
【請求項１】
一方の平版刷版表面の感光面上に他方の平版刷版の裏面を直接接触させて積層した状態で運搬や保管が可能な特性を持つ前記平版刷版が所定複数枚重ねられて束にされたものを装填した状態で、前記平版刷版の束における最上位の前記平版刷版を、その下の前記平版刷版から捌き位置まで引き上げる操作が可能な捌き操作手段と、
前記捌き操作手段で最上位の前記平版刷版を捌き位置まで引き上げた際に薄板状の保護部材を取り付けた操作軸部材を回動制御することにより当該保護部材を前記最上位の平版刷版とその下の前記平版刷版との間に挿入した挿入状態とし、前記捌き操作手段で最上位の前記平版刷版を落下させる捌き解除動作をした際に前記保護部材が前記最上位の平版刷版の下の前記平版刷版上に移動し、前記最上位の平版刷版を搬出後に前記保護部材を待機位置に復帰させるように前記操作軸部材を回動制御する挿入調整操作装置と、
前記最上位の平版刷版とその下の前記平版刷版との間に前記保護部材が挿入された挿入状態において、前記最上位の平版刷版における前記保護部材に対応した範囲に転接して、前記最上位の平版刷版を前記保護部材の上を摺動させながら搬出する搬出用ローラと、
を有することを特徴とする平版刷版の自動供給装置。
【請求項２】
前記挿入調整操作装置が、
摺動摩擦抵抗が小さい材料を所要の剛性を持つ薄板状に形成した前記保護部材と、
前記保護部材を先端部に取り付けた前記操作軸部材と、
前記操作軸部材を軸方向に摺動可能に装着したハウジングと、
前記操作軸部材の前記ハウジング内の所定位置に設けた制止部材と、
前記制止部材と前記ハウジングの壁との間に架設され、前記制止部材で制止される位置まで前記操作軸部材を延出させるように付勢するばねと、
前記操作軸部材における前記保護部材を設けた端部と反対側の端部に対して、相対的に回動不能でかつ回転軸方向へ相対的に移動可能となるよう接続された連動部材と、
前記連動部材を回転駆動する駆動操作モータと、
を具備することを特徴とする請求項１に記載の平版刷版の自動供給装置。
【請求項３】
前記保護部材を、前記搬出用ローラが前記最上位の平版刷版上に圧接したときの圧接力が働く範囲以上の大きさに形成したことを特徴とする請求項１又は請求項２に記載の平版刷版の自動供給装置。
【発明の詳細な説明】
【技術分野】
【０００１】
この発明は、複数の平版刷版だけを束ねたものを装填し、各平版刷版を１枚づつ分離して搬出する枚葉供給装置を供えた平版刷版の自動供給装置に関する。
【背景技術】
【０００２】
一般に、オフセット印刷には、平版刷版（いわゆるＰＳ版）が利用されている。また、この平版印刷の分野では、未露光の平版刷版の供給を受けて、この平版刷版に対しコンピュータ等のデジタルデータに基づいてレーザ露光処理をし、自動現像機で平版刷版上に形成された潜像を顕像に変換する現像処理をして直接印刷版を製版するＣＴＰ（Ｃｏｍｐｕｔｅｒ  ｔｏ  Ｐｌａｔｅ）システムが実用化されている。このＣＴＰシステムには、平版刷版の自動供給装置を備えたものがある。
【０００３】
従来の自動製版機の平版刷版の自動供給装置では、複数枚の平版刷版と合紙とが交互に積層されて束にされたものを印刷版包装箱に収納し、開閉蓋を閉じて遮光した状態で、平版刷版の自動供給装置内の印刷版供給カセットへ装填し、平版刷版の自動供給装置の扉を閉じて装置内部を遮光してから、自動装置で印刷版包装箱の開閉蓋を開き、製版作業が開始された際に、印刷版包装箱の内部に収納した平版刷版の束から平版刷版の自動供給装置の枚葉供給装置によって平版刷版の束から合紙を取り除き平版刷版を１枚ずつ分離して露光処理部側へ搬出するものが提案されている（例えば、特許文献１参照。）。
【０００４】
このような自動製版機の平版刷版の自動供給装置では、平版刷版の自動供給装置内で遮光状態を保ったまま包装材が取り去られた平版刷版の感光面から合紙を取り除いて廃棄場所にストックさせるようにするため、構造が複雑で大型の合紙取り除き用の自動装置が別途必要となるので、これを平版刷版の自動供給装置を備えたＣＴＰシステムに利用すると、ＣＴＰシステムが大型化し高価になってしまう。
【０００５】
またＣＴＰシステムでは、合紙の保護を必要とせず、じかに重ねて束ねた状態で取り扱っても傷が問題とならない程度に記録層側の表面を強化した、表面強化型のフォトポリマＰＳ版（いわゆる合紙レス平版刷版）を利用するものの開発が進んでいる。
【０００６】
図８に例示するように、この合紙レス平版刷版として構成される平版刷版１０には、薄いアルミニュウム基板１２の表面上へ感光剤を層状に塗布して記録層である感光層１４を構成し、さらに平版刷版（ＰＳ版）の感光層１４の最外表面上に、酸素による感光層１４の減感現像防止のためオーバーコート層（いわゆるＯＣ層と呼ばれるＰＶＡ：ポリビニールアルコール）１６を塗布し、外力に対し強い特性（例えば、通常のＰＳ版の２０倍以上の強度特性）としたものがある。
【０００７】
さらに、この平版刷版１０には、アルミニュウム基板１２の裏面（感光層１４を設けていない面）に、平版刷版１０を搬送する際に重なっている平版刷版１０同士が密着しないようにするため、水ガラス製のバックコート層１８を設けたものがある。
【０００８】
このような合紙レス平版刷版（合紙レスＰＳ版）を使用するＣＴＰシステムでは、一方の平版刷版１０表面のオーバーコート層１６上に他方の平版刷版１０のバックコート層１８を直接接触させて積層し所定複数枚重ねた束を、図示しない平版刷版の自動供給装置のハウジング内に装填し、製版作業の開始と共に自動供給装置の枚葉供給装置によって平版刷版の束から平版刷版１０を１枚ずつ分離して、露光処理部側へ搬出する。
【０００９】
このような平版刷版の自動供給装置では、合紙レス平版刷版だけを一枚づつ分離して搬出すれば良いので、合紙取り出し機構、合紙搬送機構及び合紙集積部が不要となるから、ＣＴＰシステムの生産性を向上でき、廉価なＣＴＰシステムを提供でき、ＣＴＰシステム内の省スペース化を図って小型化することが可能である。
【００１０】
さらに、この合紙レス平版刷版を使用する平版刷版の自動供給装置は、複数枚重ねられた平版刷版１０の束における最も上にある平版刷版１０の表面にピックアップローラであるゴム製の搬出用ローラ（ナッジャーローラ）を所要のニップ力（圧接力）を負荷した状態で転接させることにより平版刷版１０の搬送抵抗に抗して平版刷版１０を一枚づつ分離して搬出する、いわゆるローラピック方式で構成することが考えられる。
【００１１】
このようなローラピック方式に構成した平版刷版の自動供給装置では、搬出用ローラが平版刷版１０の束における最も上にある平版刷版１０の表面に所要のニップ力を負荷する状態で転接して搬出する動作を行うときに、最も上にある平版刷版１０における搬出用ローラのニップ力を受ける範囲の裏面が、その下に位置する平版刷版１０の表面を強く擦るようにして摺動する。
【００１２】
すなわち、このローラピック方式の平版刷版の自動供給装置では、搬出される平版刷版１０の直下にある平版刷版１０における搬出用ローラのニップ力を搬出される平版刷版１０を介して受ける範囲の部分が、搬出される平版刷版１０の裏面によって搬送方向に強く擦られることになる。
【００１３】
このため、搬出される平版刷版１０の直下にある平版刷版１０における、搬出用ローラのニップ力の影響を受ける範囲の感光層１４及びオーバーコート層１６の部分に擦り傷を付けて目視可能な黒傷ができる等、印刷面に重大な問題を起こす事がある。
【特許文献１】特開平１１−３１４７７１号公報
【発明の開示】
【発明が解決しようとする課題】
【００１４】
本発明は、上述の問題に鑑み、合紙レス平版刷版の束からローラピック方式で平版刷版を一枚づつ分離して搬出する際に、搬出用ローラのニップ力の影響を受ける範囲に対応した記録層側の部分に傷がつくことを防止可能に構成した、平版刷版の自動供給装置を新たに提供することを目的とする。
【課題を解決するための手段】
【００１５】
本発明の請求項１に記載の平版刷版の自動供給装置は、一方の平版刷版表面の感光面上に他方の平版刷版の裏面を直接接触させて積層した状態で運搬や保管が可能な特性を持つ平版刷版が所定複数枚重ねられて束にされたものを装填した状態で、平版刷版の束における最上位の平版刷版を、その下の平版刷版から捌き位置まで引き上げる操作が可能な捌き操作手段と、捌き操作手段で最上位の平版刷版を捌き位置まで引き上げた際に薄板状の保護部材を取り付けた操作軸部材を回動制御することにより保護部材を最上位の平版刷版とその下の平版刷版との間に挿入した挿入状態とし、捌き操作手段で最上位の平版刷版を落下させる捌き解除動作をした際に保護部材が最上位の平版刷版の下の平版刷版上に移動し、最上位の平版刷版を搬出後に保護部材を待機位置に復帰させるように操作軸部材を回動制御する挿入調整操作装置と、最上位の平版刷版とその下の平版刷版との間に保護部材が挿入された挿入状態において、最上位の平版刷版における保護部材に対応した範囲に転接して、最上位の平版刷版を保護部材の上を摺動させながら搬出する搬出用ローラと、を有することを特徴とする。
【００１６】
請求項２に記載の発明は、請求項１に記載の平版刷版の自動供給装置において、挿入調整操作装置が、摺動摩擦抵抗が小さい材料を所要の剛性を持つ薄板状に形成した保護部材と、保護部材を先端部に取り付けた操作軸部材と、操作軸部材を軸方向に摺動可能に装着したハウジングと、操作軸部材のハウジング内の所定位置に設けた制止部材と、制止部材とハウジングの壁との間に架設され、制止部材で制止される位置まで操作軸部材を延出させるように付勢するばねと、操作軸部材における保護部材を設けた端部と反対側の端部に対して、相対的に回動不能でかつ回転軸方向へ相対的に移動可能となるよう接続された連動部材と、連動部材を回転駆動する駆動操作モータと、を具備することを特徴とする。
【００１７】
請求項３に記載の発明は、請求項１又は請求項２に記載の平版刷版の自動供給装置において、保護部材を、搬出用ローラが最上位の平版刷版上に圧接したときの圧接力が働く範囲以上の大きさに形成したことを特徴とする。
【００１８】
前述のように構成することにより、平版刷版の束における最上位の平版刷版を捌き操作手段で捌き位置まで引き上げ、操作軸部材を回動制御することにより保護部材を最上位の平版刷版とその下の平版刷版との間に挿入した挿入状態とし、捌き操作手段で最上位の平版刷版を落下させる捌き解除動作に伴って保護部材が最上位の平版刷版の下の平版刷版上に移動して挿入状態にセットする。この状態で、搬出用ローラが最上位の平版刷版における保護部材に対応した範囲に転接して、最上位の平版刷版を保護部材の上を摺動させながら搬出する動作を行うことにより、最上位の平版刷版の裏面における搬出用ローラのニップ力の負荷が加わる範囲の部分が保護部材上を摺動し、直接最上位の平版刷版の下の平版刷版の記録層側を強く擦ることが無いようにして、記録層側の部分に傷がつくことを防止できる。
【発明の効果】
【００１９】
本発明の平版刷版の自動供給装置によれば、合紙レス平版刷版の束からローラピック方式で平版刷版を一枚づつ分離して搬出する際に、ピックアップローラのニップ力が作用する範囲に対応した記録層側の部分を保護部材で保護して傷がつくことを防止できるという効果がある
【発明を実施するための最良の形態】
【００２０】
本発明の平版刷版の自動供給装置に関する実施の形態について図１乃至図８により説明する。本実施の形態に係わる平版刷版の自動供給装置は、現在市販されている一般の平版刷版（ＰＳ版）と比較して、平版刷版の表面に感光剤を塗布して形成された記録層側の表面が外力に対し強く（２０倍以上）、合紙の保護を必要としないフォトポリマＰＳ版である、いわゆる合紙無し平版刷版（合紙レス平版刷版）を所定複数枚束にしたものを装置内に装填し、枚葉供給装置で各平版刷版を１枚づつ分離して搬出する送給作業を可能に構成する。
【００２１】
すなわち、この平版刷版の自動供給装置に用いる合紙無し平版刷版は、所定サイズの長方形の板状に形成された薄いアルミニウム板である支持体上に、感光材料を含有する感光剤を塗布して形成された記録層（画像記録層である感光面）を設けて構成する。
【００２２】
この平版刷版の自動供給装置に用いる合紙レス平版刷版には、例えば前述した図８に示す平版刷版１０を利用できる。この平版刷版１０は、前述したように、支持体である薄いアルミニュウム基板１２の表面上へ感光剤を層状に塗布して記録層としての感光層１４を構成し、さらに平版刷版１０（ＰＳ版）の感光層１４表面に酸素による感光層１４の減感現像防止のためオーバーコート層１６を塗布し、外力に対し強い特性（例えば、通常のＰＳ版の２０倍以上の強度特性）とし、その裏面（感光層１４を設けていない面）に、平版刷版１０を搬送する際に重なっている平版刷版１０同士が密着しないようにするための水ガラス製のバックコート層１８を設けたものである。
【００２３】
この平版刷版の自動供給装置に用いる合紙無しで束ねられる平版刷版１０は、これを製造してから所定複数枚の平版刷版を、合紙を廃止して、平版刷版の表面に当たる感光面（感光剤面であるＥｍ面）に平版刷版の裏面に当たる（ＰＳ版アルミ面側であるＢａｃｋ面）を直接接触させる状態で積層して直方体の束にした状態で、運搬や保管を行い、平版刷版の自動供給装置の内部へ遮光状態で供給し、この平版刷版の自動供給装置の内部機構で搬出する際に、自重で重なった状態において、平版刷版のアルミ面側が、その下に位置する平版刷版１０の感光面上を摺動しても、傷や圧力カブリ等を生じないという特性を持つ。
【００２４】
図１及び図２に示すように、この平版刷版の自動供給装置は、コンピュータ等のデジタルデータに基づいてレーザ露光処理をし、自動現像機で平版刷版１０上に形成された潜像を顕像に変換する現像処理をして直接印刷版を製版するＣＴＰ（Ｃｏｍｐｕｔｅｒ  ｔｏ  Ｐｌａｔｅ）システムに装着して用いられる。
【００２５】
図１及び図２に示すように、このＣＴＰシステムは、合紙無しで所定複数枚積み重ねられた平版刷版１０の束が供給される自動供給装置１１０と、この自動供給装置１１０と一体的に構成されて平版刷版１０の束から平版刷版１０（ＰＳ版）を１枚づつ分離して供給する枚葉供給装置１１２と、インナードラム露光装置（モノゴンスキャナー）１１４と、バッファ装置１１６と、現像処理装置１１８とを備える。
【００２６】
このＣＴＰシステムにおける自動供給装置１１０の内部には、枚葉供給装置１１２の要部の機構を配置して一体的に構成する。この枚葉供給装置１１２を構成するため、自動供給装置１１０の内部には、保管棚１４４を設置する。
【００２７】
図２に示すように、この保管棚１４４は、自動供給装置１１０から枚葉供給装置１１２へかけてのケーシング内における床面からインナードラム露光装置１１４側の上部へかけて斜めに配置した支持台１６０に、高さ位置を調整可能なように棚部材１６２を装着して構成する。さらに、図５乃至図７に示すように、支持台１６０には、平版刷版１０の束の左右側部をそれぞれガイドするため移動調整可能なガイド部材１６１を装着する。
【００２８】
このように構成した場合には、保管棚１４４を水平に配置する場合と比較して自動供給装置１１０の水平方向の大きさを削減して装置の小型化を図ることができる。
【００２９】
このように構成した保管棚１４４に、合紙無しで所定複数枚積み重ねられた平版刷版１０の束を載置するには、図２及び図５乃至図７に示すように、この束の一方の端部を棚部材１６２の上に載せ、この束の左右側部にそれぞれガイド部材１６１を沿わせた状態で支持台１６０の表面に斜めに持たせ掛けるようにして載置する。
【００３０】
図２乃至図４に示すように、この枚葉供給装置１１２には、保管棚１４４の上側の位置に、図示しない操作装置でピックアップ位置と退避位置との間を移動操作される、搬出手段としてのローラピック方式に構成された搬出用ローラ（ピックアップローラ）１４６を装着する。
【００３１】
この搬出用ローラ１４６は、平版刷版１０の幅方向中央部の所定長さ範囲に渡って転接するよう、回転軸方向の長さを所定寸法に形成する。なお、この搬出用ローラ１４６は、平版刷版１０の幅方向全幅若しくはそれ以上の長さに構成し、又は複数に分割して構成しても良い。
【００３２】
この搬出用ローラ１４６は、プーリ１４６Ａと一体的に回動するよう構成する。これら一体化された搬出用ローラ１４６及びプーリ１４６Ａは、回転軸１４７に軸着して配置する。回転駆動軸１４７は、その両端部を支持部材１６５に固着して配置する。このように装着されたプーリ１４６Ａには、図示しない駆動源である駆動モータの出力軸との間にベルトを巻き掛けて動力を伝達するよう構成する。なお図示しないが、各支持部材１６５は、その搬出用ローラ１４６を取り付けた端部と反対側の端部を筐体側に軸着することによって、搬出用ローラ１４６を図４に示すピックアップ位置と図３に示す待避位置との間を移動操作可能に装着する。
【００３３】
この枚葉供給装置１１２では、駆動モータを駆動して出力軸を回動し、ベルト巻き掛け機構によって回転トルクをプーリ１４６Ａへ伝達し、このプーリ１４６Ａと一体の搬出用ローラ１４６を回動操作する。
【００３４】
また、この枚葉供給装置１１２には、保管棚１４４に載置されている平版刷版１０の束における最も表面側に位置する搬出されるべき平版刷版１０を捌くための捌き操作手段を装着する。
【００３５】
図３乃至図５に示すように、この捌き操作手段は、吸盤装置１６４で保管棚１４４に載置されている最上部の平版刷版１０における上端近くの部分（搬送方向下流側端部近傍）に吸着し、この吸着した平版刷版１０を垂直に立てる方向に移動させて平版刷版１０の束の第２番目の平版刷版１０から引き離し、搬出する第１番目の平版刷版１０と第２番目の平版刷版１０との間に所定間隔の空間を作ることによって空気を導入してこれらの間の真空密着状態を解消し、さらに保護部材１６６を、搬出する第１番目の平版刷版１０と第２番目の平版刷版１０との間の空間内に挿入可能な状態とする捌き位置へ移動操作する捌き動作を行うように構成する。
【００３６】
さらに、この捌き操作手段は、第１番目の平版刷版１０を引き上げる捌き動作に続けて、捌き位置にある第１番目の平版刷版１０に対する吸盤装置１６４の吸着を解除して第１番目の平版刷版１０を自重で第２番目の平版刷版１０上へ落下させる捌き解除動作を行うように構成する。
【００３７】
また図示しないが、捌き操作手段は、第１番目の平版刷版１０を引き上げる捌き動作に、図示しない連動機構で連動して支持部材１６５を揺動することにより搬出用ローラ１４６を図３に例示する待避位置へ移動し、第１番目の平版刷版１０を落下させる捌き解除動作に、図示しない連動機構で連動して支持部材１６５を揺動することにより搬出用ローラ１４６を第１番目の平版刷版１０の上面に圧接させる搬送操作状態（ピックアップ位置に復帰した状態）に復帰させるように構成する。
【００３８】
搬出する第１番目の平版刷版１０と第２番目の平版刷版１０との間の空間内に挿入するための保護部材１６６は、挿入調整操作装置１６７に装着して配置する。
【００３９】
この保護部材１６６は、平版刷版１０の裏面に対する摺動摩擦抵抗が小さい材料（テフロン（登録商標）、ナイロン、ＰＣ、ＰＥＴ等）を、例えば、２ミリメートルから１ミリメートル程度の厚さで所要の剛性を持つ薄板状（シート状）の材料を用いて構成する。
【００４０】
さらに、この保護部材１６６は、搬出用ローラ１４６が一番表面にある第１番目の平版刷版１０上に圧接したときに第２番目の平版刷版１０表面に圧接力が働き、摺動摩擦抵抗を問題となるまで増加させる部分を内包する範囲（カバーする範囲）以上の大きさで例えば矩形状等の所要形状に形成する。
【００４１】
この保護部材１６６は、その一端辺の中央部近傍に、挿入調整操作装置１６７の操作軸部材１６８の先端部を固着し、操作軸部材１６８の回転軸に対して保護部材１６６の平面が直交する状態となるように取り付ける。
【００４２】
図３及び図４に示すように、挿入調整操作装置１６７は、操作軸部材１６８を所定角度回動操作可能で、所定値以上の押圧力により引き込み操作されるように構成する。
【００４３】
この挿入調整操作装置１６７は、操作軸部材１６８を装着する第１ハウジング１７０と、操作軸部材１６８に回転駆動力を伝達するための連動部材１７２を装着する第２ハウジング１７４と、連動部材１７２を回動操作するため、第２ハウジング１７４に取り付けた駆動操作モータ１７６とを有する。
【００４４】
この第１ハウジング１７０には、その先端面１７０Ａ中央に設けた先端側の摺動挿通孔部材１７８と、第２ハウジング１７４との隔壁１８６中央に設けた後端側の摺動挿通孔部材１８０とをそれぞれ貫通するように丸軸状の操作軸部材１６８を挿通して、第１ハウジング１７０に対して操作軸部材１６８を軸線方向に摺動自在でかつ回動自由となるように装着する。
【００４５】
この挿入調整操作装置１６７は、先端側の摺動挿通孔部材１７８の挿通孔に連通するよう支持台１６０に穿孔された貫通穴１９６に操作軸部材１６８を挿通させる状態で、第１ハウジング１７０の先端面１７０Ａを支持台１６０の裏面所定位置に固着して設置する。
【００４６】
操作軸部材１６８には、保護部材１６６を取り付けた端部が先端側の摺動挿通孔部材１７８から所定距離延出したときに、それ以上延出しないよう制止するためのフランジ状に形成した制止部材１８２を一体的に設ける。
【００４７】
そして、この挿入調整操作装置１６７では、操作軸部材１６８に圧縮コイルばね１８４を挿通し、制止部材１８２と隔壁１８６との間に架設して、操作軸部材１６８を、保護部材１６６を取り付けた端部が延出される方向に付勢する。
【００４８】
この挿入調整操作装置１６７では、操作軸部材１６８の先端に固着された保護部材１６６が、捌き操作手段により第１番目の平版刷版１０を落下させる捌き解除動作の際に押圧されると、操作軸部材１６８が圧縮コイルばね１８４を弾性変形させながら降下するように移動し、保護部材１６６を第２番目の平版刷版１０上へ圧接させる動作を行うように構成する。
【００４９】
また、この挿入調整操作装置１６７では、保護部材１６６が最も延出した状態（操作軸部材１６８の延出が制止部材１８２で制止された状態）のときに、保管棚１４４に最大枚数載置された平版刷版１０の束の表面位置（スタック版の最大高さ位置、例えば、平版刷版１０の一枚の厚さｔが０．２ｍｍであるとき、平版刷版１０を１００枚束としたもので、支持台１６０の表面から２０ｍｍの位置）よりも上方の位置で、かつ、捌き操作手段が第１番目の平版刷版１０を捌き位置へ移動したときの第１番目の平版刷版１０の裏面より下方の位置となるように構成する。
【００５０】
これと共に、この挿入調整操作装置１６７では、操作軸部材１６８が圧縮コイルばね１８４を弾性変形させながら最も引き込められる位置を、保護部材１６６が支持台１６０の表面に当接する位置となるように構成する。
【００５１】
このように構成することにより、この挿入調整操作装置１６７では、保管棚１４４上に載置された平版刷版１０の束から平版刷版１０が順次搬出されて数が少なくなっていくのに従って、平版刷版１０の束の表面が支持台１６０の表面側に移っていっても、保護部材１６６がこれに追従して移動し、常に搬出される平版刷版１０の下にある平版刷版１０の表面に当接する状態を実現できる。
【００５２】
この挿入調整操作装置１６７では、操作軸部材１６８における隔壁１８６から第２ハウジング１７４内へ延出した端部を、連動部材１７２に対して、相対的に回動不能な状態でかつ回転軸方向へは相対的に移動可能な状態に接続する。
【００５３】
このため、この挿入調整操作装置１６７では、連動部材１７２を筒状に形成し、その筒穴内に操作軸部材１６８の端部を軸線方向に摺動自在に挿通する。
【００５４】
さらに、連動部材１７２には、軸線方向に沿った矩形状の長穴であるガイド穴１８８を穿設する。これと共に、操作軸部材１６８の端部には、ガイド穴１８８内に頭部を臨ませるように従動子１９０を突設する。
【００５５】
この従動子１９０は、ガイド穴１８８内で軸線方向に摺動自在で、ガイド穴１８８の幅方向（連動部材１７２の円周方向）への移動がガイド穴１８８の側壁で制限されることにより、操作軸部材１６８と連動部材１７２とを相対的に回動不能な状態でかつ回転軸方向へは相対的に移動可能な状態に接続する。
【００５６】
連動部材１７２の一部には、フランジ状に延出する回転位置検出板１９０を設ける。また、第２ハウジング１７４の内部には、回転位置検出板１９０に臨んで、その回転位置を検出して、その検出位置信号を図示しない駆動操作モータ１７６の制御装置へ送信するための位置センサ１９２を設置し、連動部材１７２及び操作軸部材１６８と一体的に回動する保護部材１６６の回動状態を検出可能に構成する。
【００５７】
この挿入調整操作装置１６７では、第２ハウジング１７４における隔壁１８６と反対側の端板１７４Ａに取り付けた駆動操作モータ１７６の出力軸１７６Ａを、端板１７４Ａの貫通穴を挿通させて第２ハウジング１７４内にある連動部材１７２に同軸で接続する。
【００５８】
この駆動操作モータ１７６は、図示しない制御装置で制御されることにより、出力軸１７６Ａを回転駆動させて連動部材１７２を回動し、ガイド穴１８８及び従動子１９０の接続機構を介して、操作軸部材１６８及び保護部材１６６を回動操作する。
【００５９】
この動作の際図示しない制御装置は、連動部材１７２と一体的に回動する回転位置検出板１９４の回転位置を検出する位置センサ１９２により保護部材１６６が図３及び図５に示す待機位置から図６に示す中間動作状態を経て図４及び図７に示す挿入位置へ移動したことを検知したときに、駆動操作モータ１７６を停止して保護部材１６６を挿入状態にセットする。また、図示しない制御装置は、上述とは逆の動作で、保護部材１６６を挿入位置から待機位置へ復帰するよう制御する。
【００６０】
このように構成した挿入調整操作装置１６７では、保護部材１６６を角１８０度回動する度に、保護部材１６６を挿入位置と待機位置とへ安定して確実に移動できる。
【００６１】
上述のように構成した枚葉供給装置１１２では、保管棚１４４に載置された平版刷版１０の束の１番上にある第１の平版刷版１０を、１枚だけ分離して搬送ベルト巻き掛け機構へ送給する動作を行う際に、まず、捌き操作手段によって、束の１番上にある平版刷版１０だけを捌き位置に移動し、図示しない制御装置で挿入調整操作装置１６７を駆動制御して保護部材１６６を挿入位置にセットする。次に、この枚葉供給装置１１２では、捌き操作手段を捌き解除動作させることによって、第１番目の平版刷版１０を自重で落下させる動作に従って、第１番目の平版刷版１０が保護部材１６６を介して第２番目の平版刷版１０上にのる状態とする。
【００６２】
この枚葉供給装置１１２では上述した一連の動作により、第１番目の平版刷版１０と第２番目の平版刷版１０との間の空間に空気が入り、その後第１番目の平版刷版１０が第２番目の平版刷版１０上に降下する動作に伴って空間内の空気が第１番目の平版刷版１０の裏面全面に行き渡り第１番目の平版刷版１０と第２番目の平版刷版１０との間の真空密着状態を解除して、真空密着に起因して発生する搬送抵抗を削減する。
【００６３】
さらに、この枚葉供給装置１１２では、第１番目の平版刷版１０と第２番目の平版刷版１０との間に所定厚さの保護部材１６６が挟まって保護部材１６６の周囲の空間に空気が入っている状態を保持できるので、平版刷版１０を搬出用ローラ１４６で搬出する際に、第１番目の平版刷版１０と第２番目の平版刷版１０との間が密接して真空密着の状態になることを防止できる。
【００６４】
次に、この枚葉供給装置１１２では、第１番目の平版刷版１０の捌き解除動作に連動して搬出用ローラ１４６を第１番目の平版刷版１０の上面に圧接させる搬送操作状態（ピックアップ位置に復帰した状態）に復帰させてから、搬出用ローラ１４６を図示しない駆動モータ機構で回動することにより、搬出用ローラ１４６を平版刷版１０の束の１番上にある平版刷版１０上を転動させて、１枚だけを分離し搬送ベルト巻き掛け機構へ送給する。
【００６５】
この枚葉供給装置１１２では、搬出用ローラ１４６により第１番目の平版刷版１０を搬出する動作の際に、搬出用ローラ１４６の押圧力が働く範囲の第１番目の平版刷版１０の裏面に、保護部材１６６が摺接することになる。
【００６６】
すなわち、この枚葉供給装置１１２では、第１番目の平版刷版１０において搬出用ローラ１４６の押圧力が働く範囲の裏面が保護部材１６６上を摺動することになるので、第２番目の平版刷版１０の感光層１４側に直接第１番目の平版刷版１０の裏面が搬出動作に必要な所要の高いニップ圧で擦り付けられることを無くし、第２番目の平版刷版１０の感光層１４側に傷が付くことを防止できる。
【００６７】
なお、この枚葉供給装置１１２では、第１番目の平版刷版１０裏面における搬出用ローラ１４６のニップ力が働く範囲の部分だけがニップ力を受けて保護部材１６６上を摺動する構成なので、ニップ力の強さに係わらず、第１番目の平版刷版１０裏面以外に傷がつく所を無くして平版刷版１０を搬出することができる。よって、この枚葉供給装置１１２では、搬出用ローラ１４６のニップ力を搬出動作の都合だけで決定できる。
【００６８】
さらに、この第１番目の平版刷版１０を搬出する動作では、平版刷版１０の裏面が摩擦係数の小さな保護部材１６６上を摺動するときの小さな摩擦抵抗が主に搬送抵抗となるので、第１番目の平版刷版１０を搬出するためにローラピック方式に構成された搬出用ローラ１４６に必要とされる所定の搬送力を小さくし、常に搬出用ローラ１４６が所定の低いニップ力と低い駆動力で平版刷版１０を搬送可能とできる。
【００６９】
よって、前述した真空密着を解除して搬送抵抗を低減する効果及び保護部材１６６上を平版刷版１０が摺動するようにして低い搬送抵抗で搬出可能とする効果と相俟って、この平版刷版１０を搬出するローラピック方式に構成された搬出用ローラ１４６では、平版刷版１０に圧接するためのニップ力を低く設定し、平版刷版１０に傷が付くことを防止できる。
【００７０】
この枚葉供給装置１１２では、第１番目の平版刷版１０を搬出して搬送ベルト巻き掛け機構で搬送できる状態となると、搬出用ローラ１４６が第１番目の平版刷版１０から解離される。
【００７１】
そして、この枚葉供給装置１１２では、第１番目の平版刷版１０を搬出し終えると、保護部材１６６を取り付けた操作軸部材１６８が圧縮コイルばね１８４の付勢力で制止部材１８２に制止される位置まで延出し、第２番目の平版刷版１０の表面から離間する。
【００７２】
この後、枚葉供給装置１１２を制御する図示しない制御装置は、駆動操作モータ１７６の駆動を開始し、連動部材１７２と一体的に回動する回転位置検出板１９４の回転位置を検出する位置センサ１９２が保護部材１６６を図４及び図７に示す挿入位置から図３及び図５に示す待機位置へ移動したことを検出したときに、駆動操作モータ１７６を停止して保護部材１６６を待機位置に復帰させて、次の動作に備える。
【００７３】
上述のように構成された枚葉供給装置１１２は、搬出用ローラ１４６により保管棚１４４に載置された平版刷版１０の束の１番上にある平版刷版１０だけを分離し搬送ベルト巻き掛け機構へ送給する。
【００７４】
この搬送ベルト巻き掛け機構には、各平版刷版１０を保管棚１４４からインナードラム露光装置１１４まで搬送するために、主搬送ベルト１４８を張架した主搬送ベルト巻き掛け機構１５０と、副搬送ベルト１５２を張架した副搬送ベルト巻き掛け機構１５４とを設置する。
【００７５】
この主搬送ベルト巻き掛け機構１５０は、保管棚１４４上部に当たる平版刷版１０の搬入位置から、インナードラム露光装置１１４への搬出位置との間に搬送ベルト１４８を張架して搬送路を構成する。
【００７６】
また、副搬送ベルト巻き掛け機構１５４は、主搬送ベルト巻き掛け機構１５０における主搬送ベルト１４８の下側に設定される搬送路の一部を共用して搬送中の平版刷版１０が脱落することを防止するよう構成する。
【００７７】
このため、副搬送ベルト巻き掛け機構１５４は、主搬送ベルト１４８における、保管棚１４４から搬出された各平版刷版１０の先端が突き当てられるガイド範囲より搬送方向下流側の中間ローラ１５６から、主搬送ベルト１４８の下側に設定される搬送路の出口に近い中間ローラ１５８の区間で、主搬送ベルト１４８と副搬送ベルト１５２とが添うようになって走行するよう巻き掛けて構成する。
【００７８】
上述のように構成された枚葉供給装置１１２を備えた自動供給装置１１０に合紙無しで所定複数枚積み重ねられた平版刷版１０の束を装填する場合には、図示しないが、作業者が、暗室中で、包装材で包装されている平版刷版１０の束を外箱から取り出して用意する。
【００７９】
次に、作業者は、暗室中で自動供給装置１１０の扉１４２を開け、その内部に斜めに配置した保管棚１４４上に平版刷版１０の束を置いて、扉１４２を閉じて遮光し、自動供給装置１１０内を暗室とする。
【００８０】
次に、合紙無しで所定複数枚積み重ねられた平版刷版１０の束が保管棚１４４に装填された自動供給装置１１０内の枚葉供給装置１１２では、図２及び図３に示すように、最上位に位置する平版刷版１０に、前述したように搬出用ローラ１４６を転接させて各平版刷版１０を順次搬出し、主搬送ベルト巻き掛け機構１５０へ送給する。
【００８１】
この主搬送ベルト巻き掛け機構１５０では、搬出用ローラ１４６によって１枚だけ分離されて搬出された平版刷版１０の先端が、主搬送ベルト１４８における先端の第１ローラ１５１と中間ローラ１５６との間に張架された部分に相当するガイド範囲１４８Ａに当たり、主搬送ベルト１４８の走行動作に従って中間ローラ１５６側へ搬送される。
【００８２】
この枚葉供給装置１１２では、搬出用ローラ１４６によって搬出された平版刷版１０の先端が、ガイド範囲１４８Ａに張架されている主搬送ベルト１４８に当たり、主搬送ベルト１４８が弾力的に容易に変形して平版刷版１０に衝撃を与えないように受けると共に、平版刷版１０の先端が当たった部分の主搬送ベルト１４８が略への字状に変形し、平版刷版１０が撓んでその先端部が中間ローラ１５６の位置で主搬送ベルト１４８と副搬送ベルト１５２との間にスムーズに挟み込まれるようにできる。このように平版刷版１０は、その先端が主搬送ベルト１４８に当たったときに、弾力的に柔らかく受けられるので、感光層１４を形成する感光面に外傷を受けないようにできる。
【００８３】
また、この枚葉供給装置１１２では、平版刷版１０の束から何枚目の平版刷版１０を搬出する場合であっても、搬出用ローラ１４６が転接して引き上げられる平版刷版１０の先端が必ずガイド範囲１４８Ａ内で主搬送ベルト１４８に当たるようにし適切に搬出できる。
【００８４】
よって、この枚葉供給装置１１２では、平版刷版１０の束から平版刷版１０が引き出される毎に、その引き出し位置が変わっても適切に搬出できるから、保管棚１４４に平版刷版１０の引き出し位置を調整するための複雑な装置を設ける必要がないので、構成を簡素化し、装置を小型化することができる。
【００８５】
そして、先端を主搬送ベルト１４８にガイドされた平版刷版１０は、中間ローラ１５６の位置で、主搬送ベルト１４８と副搬送ベルト１５２との間に挟み込まれて挟持された状態で搬送路上を搬送され、出口に近い中間ローラ１５８の位置で挟持状態を開放され、インナードラム露光装置１１４へ搬入される。
【００８６】
このＣＴＰシステムにおけるインナードラム露光装置１１４は、円弧内周面形状（円筒内周面の一部を構成する形状）の支持体１３４を母体として構成されており、この支持体１３４の内周面に沿って平版刷版１０を支持するようになっている。
【００８７】
このインナードラム露光装置１１４では、図示しない真空吸着手段によって、未記録の記録媒体である平版刷版１０を支持体１３４の内周面に確実に密着させて沿わせた状態に保持してから露光処理を行う。
【００８８】
このインナードラム露光装置１１４では、支持体１３４の円弧中心位置に、光ビーム偏向器としてのスピナーミラー装置１３６を配設する。このスピナーミラー装置１３６は、反射鏡部材（スピナーミラー）１３８を頂面に配置した回転軸１４０を、図示しない制御装置のスピナードライバによって回転制御がされる駆動源としてのモータによって高速回転可能に構成する。このスピナーミラー装置１３６では、回転軸１４０の回転中心軸を支持体１３４の円弧中心軸と一致するように構成する。
【００８９】
このスピナーミラー装置１３６では、光源側の光学系から投射された光ビームを、回動する反射鏡部材１３８の反射鏡面に反射させて平版刷版１０の感光面に対して主走査方向への走査露光を行う。
【００９０】
このスピナーミラー装置１３６は、図示しない副走査移動手段によって、支持体１３４の円弧中心軸の軸線方向（図２の表面から裏面に貫通する方向）に等速度で移動制御されることにより副走査する。
【００９１】
このためスピナーミラー装置１３６では、制御装置のスピナードライバによって、そのモータの回転制御がされると共に、図示しない副走査移動手段により副走査方向に移動制御される。
【００９２】
このように構成されたスピナーミラー装置１３６は、光源側の光学系から投射され画像情報に応じて変調された光ビームを、回動する反射鏡部材１３８の反射鏡面に反射させて主走査方向への走査露光を行いながら、スピナーミラー装置１３６を副走査方向へ移動することによって、平版刷版１０の記録面全面に対して２次元の画像を記録する処理を行う。
【００９３】
このＣＴＰシステムに設けるバッファ装置１１６は、インナードラム露光装置１１４で露光処理された平版刷版１０を、搬送速度を調整することによって所要のタイミングで現像処理装置１１８へ搬入する機能を有する。
【００９４】
現像処理装置１１８は、搬入されて来た露光済の平版刷版１０に対する現像処理を行って潜像を顕像化して印刷版を製版する。
【００９５】
なお、前述した平版刷版の自動供給装置は、前述した合紙の保護を必要としない平版刷版１０であるフォトポリマＰＳ版以外に、例えば、いわゆるサーマルＰＳ版で、表面に形成された画像を形成する記録層に傷が付くことを防止するため、記録層の最外表面上にオーバーコート層（現像前の水洗工程で完全に除去できる水溶性材料で構成されたＯＣ層等）が塗布されているものを利用することができる。さらに、平版刷版の自動供給装置は、合紙の保護を必要とせず、じかに重ねて束ねた状態で取り扱っても傷が問題とならない程度に記録層側の表面を強化した表面強化型のサーマルＰＳ版を利用することができる。
【００９６】
また、この平版刷版の自動供給装置の構成は、一般に平版印刷の分野で用いられる製版方式に対応した平版刷版である、光を利用して記録層に画像を記録する（光モード）の平版刷版、熱を利用して記録層に画像を記録する（熱モード）の平版刷版、記録層中で光を熱に変換させて画像を記録する（光、熱モード）の平版刷版、化学反応を利用した平版刷版、物理的な現像を利用した平版刷版等を一枚づつ分離して供給することに利用できる。
【００９７】
さらに、前述した平版刷版の自動供給装置では、斜めに配置した保管棚１４４に平版刷版１０の束を配置する立て掛け型の構成について説明したが、保管棚を水平に配置し、平版刷版を略水平方向に引き出す平置き型の構成にも利用できることは勿論である。
【図面の簡単な説明】
【００９８】
【図１】本発明の実施の形態に係わる平版刷版の自動供給装置を備えたＣＴＰ（Ｃｏｍｐｕｔｅｒ  ｔｏ  Ｐｌａｔｅ）システムの全体を示す斜視図である。
【図２】本発明の実施の形態に係わる平版刷版の自動供給装置を備えたＣＴＰシステム内部の全体的な概略構成を示す構成図である。
【図３】本発明の実施の形態に係わる平版刷版の自動供給装置内に装填された平版刷版の束から各平版刷版を搬出する枚葉供給装置が捌き位置にある状態の要部を取り出して示す要部概略構成図である。
【図４】本発明の実施の形態に係わる平版刷版の自動供給装置内に装填された平版刷版の束から各平版刷版を搬出する状態にある枚葉供給装置の部分を取り出して示す概略構成図である。
【図５】本発明の実施の形態に係わる平版刷版の自動供給装置内の枚葉供給装置における挿入調整操作装置が保護部材を待機位置にセットした状態を取り出して示す概略正面図である。
【図６】本発明の実施の形態に係わる平版刷版の自動供給装置内の枚葉供給装置における挿入調整操作装置で保護部材を回動している中間状態を取り出して示す概略正面図である。
【図７】本発明の実施の形態に係わる平版刷版の自動供給装置内に装填された平版刷版の束から各平版刷版を搬出する状態にある枚葉供給装置の部分を取り出して示す概略正面図である。
【図８】本発明の実施の形態に係わる平版刷版の自動供給装置の枚葉供給装置で利用される平版刷版の構造を例示する概略断面図である。
【符号の説明】
【００９９】
１０  平版刷版
１２  アルミニュウム基板
１４  感光層
１６  オーバーコート層
１８  バックコート層
１１０      自動供給装置
１１２      枚葉供給装置
１４４      保管棚
１４６      搬出用ローラ
１４７      回転駆動軸
１６０      支持台
１６２      棚部材
１６４      吸盤装置
１６６      保護部材
１６７      挿入調整操作装置
１６８      操作軸部材
１７０      ハウジング
１７２      連動部材
１７４      ハウジング
１７６      駆動操作モータ
１７８      摺動挿通孔部材
１８０      摺動挿通孔部材
１８２      制止部材
１９０      回転位置検出板
１９０      従動子
１９２      位置センサ
１９４      回転位置検出板
【図１】
2007204164.tif 000003
【図２】
2007204164.tif 000004
【図３】
2007204164.tif 000005
【図４】
2007204164.tif 000006
【図５】
2007204164.tif 000007
【図６】
2007204164.tif 000008
【図７】
2007204164.tif 000009
【図８】
2007204164.tif 000010